(57)【要約】【課題】取付作業が容易かつ簡便となるリストバンドを提供する。【解決手段】表示部２の一端に延在し係止穴３を有する挿入部４と、表示部２の他端に延在して第１の所定間隔Ｔ１隔てて形成される一対の挿入穴５および調整係止穴６を第２の所定間隔Ｔ２にて連続して複数形成される調整部７とを備え可撓性の材質にて成るリストバンド１で、挿入部４は、挿入穴３の長さｔ１より長さｔ２が短く成る先端箇所８と、先端箇所８の後方に長さｔ３が挿入穴３の長さｔ１より長く成る係止箇所９と、係止箇所９の後方に挿入穴５の長さｔ１より長さｔ４が短い連結箇所１０とにて成り、係止箇所９と連結箇所１０との境界１１から係止穴３までの長さＴ３は第１の所定間隔Ｔ１と略同一長さにて形成され、挿入部４を挿入穴３に挿入して係止箇所９を挿入穴５に係止させると係止穴３と調整係止穴６とは連通して重なり合う位置関係にある。【選択図】図１
2007167190.tif 000002
【特許請求の範囲】
【請求項１】
表面に印字が可能な表示部と、上記表示部の一端に延在し係止穴を有する挿入部と、上記表示部の他端に延在して第１の所定間隔隔てて形成される一対の挿入穴および調整係止穴を第２の所定間隔にて連続して複数形成されている調整部とを備えた可撓性を有する材質にて構成されるリストバンドであって、上記挿入部は、上記挿入穴の縦方向の長さより縦方向の長さが短く構成された先端箇所と、上記先端箇所の後方に縦方向の長さが上記挿入穴の縦方向の長さより長く構成された係止箇所と、上記係止箇所の後方に上記挿入穴の縦方向の長さより縦方向の長さが短い連結箇所とにて構成され、上記係止箇所と上記連結箇所との境界から上記係止穴までの横方向の長さは上記第１の所定間隔と略同一長さにて形成され、上記挿入部を上記挿入穴に挿入して上記係止箇所を上記挿入穴に係止させると上記係止穴と上記調整係止穴とは連通して重なり合う位置関係にて構成されていることを特徴とするリストバンド。
【請求項２】
上記係止箇所の縦方向の長さは、上記挿入穴の縦方向の長さの１．３倍ないし２．５倍の長さにて構成されていることを特徴とする請求項１に記載のリストバンド。
【請求項３】
上記先端部の先端箇所は凸形状にて形成され、先端面が曲面形状にて構成されていることを特徴とする請求項１または請求項２に記載のリストバンド。
【請求項４】
上記係止穴は、上記挿入部の係止箇所より上記先端側または上記表示部側のいずれかに形成されていることを特徴とする請求項１ないし請求項３のいずれかに記載のリストバンド。
【請求項５】
上記材質は、裏面がなし地状にて成るオレフィン樹脂材にて構成されていることを特徴とする請求項１ないし請求項４のいずれかに記載のリストバンド。
【請求項６】
請求項１ないし請求項５のいずれかに記載のリストバンドの装着方法において、上記リストバンドを被装着物に巻き付けて上記挿入部を上記各挿入穴のうち所望の挿入穴に挿入して上記係止箇所を上記所望の挿入穴に係止させる工程と、上記係止穴と上記所望の挿入穴と対をなす上記調整係止穴とは連通して重なり合う位置関係にて保持され上記係止穴および上記調整係止穴を貫通し上記係止穴および上記調整係止穴の表裏にて狭持する留め具を固定して上記リストバンドを上記被装着物に装着する工程とを備えたことを特徴とするリストバンドの装着方法。
【発明の詳細な説明】
【技術分野】
【０００１】
この発明は、取付作業が容易かつ簡便となるリストバンドおよびリストバンドの装着方法に関するものである。
【背景技術】
【０００２】
従来のリストバンドは、バンド本体の前後に形成された係止穴同士を当接させ、その状態を作業者が狭持するなどして保持しながら係止具にて止めることによりリストバンドとして利用するものであった（例えば、特許文献１参照）。
【０００３】
【特許文献１】特開２００１−１３７０１７号公報
【発明の開示】
【発明が解決しようとする課題】
【０００４】
従来のリストバンドは係止穴同士を当接する際に、その状態を作業者が保持しながら係止具で止めているため、当接状態を維持するのに手間がかかり容易にリストバンドを止めることができないという問題点があった。
【０００５】
この発明は上記のような課題を解決するためになされたものであり、取付作業が容易かつ簡便となるリストバンドおよびリストバンドの装着方法を提供することを目的とする。
【課題を解決するための手段】
【０００６】
この発明は、表面に印字が可能な表示部と、表示部の一端に延在し係止穴を有する挿入部と、表示部の他端に延在して第１の所定間隔隔てて形成される一対の挿入穴および調整係止穴を第２の所定間隔にて連続して複数形成されている調整部とを備えた可撓性を有する材質にて構成されるリストバンドであって、挿入部は、挿入穴の縦方向の長さより縦方向の長さが短く構成された先端箇所と、先端箇所の後方に縦方向の長さが挿入穴の縦方向の長さより長く構成された係止箇所と、係止箇所の後方に挿入穴の縦方向の長さより縦方向の長さが短い連結箇所とにて構成され、係止箇所と連結箇所との境界から係止穴までの横方向の長さは第１の所定間隔と略同一長さにて形成され、挿入部を挿入穴に挿入して係止箇所を挿入穴に係止させると係止穴と調整係止穴とは連通して重なり合う位置関係にて構成されているものである。
【発明の効果】
【０００７】
この発明のリストバンドは、表面に印字が可能な表示部と、表示部の一端に延在し係止穴を有する挿入部と、表示部の他端に延在して第１の所定間隔隔てて形成される一対の挿入穴および調整係止穴を第２の所定間隔にて連続して複数形成されている調整部とを備えた可撓性を有する材質にて構成されるリストバンドであって、挿入部は、挿入穴の縦方向の長さより縦方向の長さが短く構成された先端箇所と、先端箇所の後方に縦方向の長さが挿入穴の縦方向の長さより長く構成された係止箇所と、係止箇所の後方に挿入穴の縦方向の長さより縦方向の長さが短い連結箇所とにて構成され、係止箇所と連結箇所との境界から係止穴までの横方向の長さは第１の所定間隔と略同一長さにて形成され、挿入部を挿入穴に挿入して係止箇所を挿入穴に係止させると係止穴と調整係止穴とは連通して重なり合う位置関係にて構成されているので、取付作業が容易かつ簡便となる。
【発明を実施するための最良の形態】
【０００８】
実施の形態１．
以下、本願発明の実施の形態について説明する。図１はこの発明の実施の形態１におけるリストバンドの構成を示す図、図２は図１に示したリストバンドの先端部分および後方部分の一部を拡大して示した図、図３は図１に示したリストバンドを装着する際に使用する留め具の構成を示した図、図４は図１に示したリストバンドの製造段階の構成を示す図、図５は図１に示したリストバンドを装着する際の構成の一部を拡大して示す図、図６は図１に示したリストバンドを被装着物に装着した状態を示す図、図７は図１に示したリストバンドを装着する他の装着方法による構成の一部を拡大して示す図、図８はこの発明の実施の形態１におけるリストバンドの係止穴の他の例を示した図、図９は図８に示したリストバンドを装着する際の構成の一部を拡大して示す図、図１０は図９に示したリストバンドを装着する他の装着方法による構成の一部を拡大して示す図、図１１はこの発明の実施の形態１におけるリストバンドの先端箇所の他の例を示した図、図１２はこの発明の実施の形態１におけるリストバンドの連結箇所の他の例を示した図、図１３はこの発明の実施の形態１におけるリストバンドの挿入穴の他の例を示した図である。
【０００９】
図において、リストバンド１は可撓性を有する材質にて形成されている。可撓性を有する材質としては、例えば、環境問題の観点から、焼却時のＣＯ２の発生の少ないオレフィン樹脂材が考えられ、ここではオレフィン樹脂材で厚さ４００ミクロンのものを使用して作成した。尚、オレフィン樹脂材の厚さは可撓性を有していればよく、厚さ３００ミクロン〜６００ミクロン程度のものが使用可能と考えられる。また、他の材質でも可撓性を有しているものであれば使用できることは言うまでもない。そして、このオレフィン樹脂材は、表面側が印字可能な面、例えばコロナ処理が施されて形成されており、裏面はなし地状、例えばエンボス加工が施されて形成されているものを利用する。これは表面には例えば、病院で使用する場合、患者名、血液型、生年月日、性別、何科、バーコード情報などを、また、レジャー施設などにて使用する場合、日付、バーコード情報などを印字する。また、裏面は、一般的にはこのリストバンド１の被装着物としては人間が考えられるため、汗または水などによりリストバンド１が被装着物にひっついて不快となることを防止するためである。
【００１０】
そしてこのリストバンド１は、表面に上記にて示した情報などを印字することが可能な表示部２と、表示部２の一端に延在し例えば直径５ｍｍの係止穴３を有する挿入部４と、表示部２の他端に延在して第１の所定間隔Ｔ１例えば９ｍｍ隔てて形成される一対の例えば縦方向Ａの長さｔ１が８ｍｍおよび横方向Ｂの長さが２ｍｍの矩形にて成る挿入穴５および例えば直径５ｍｍの調整係止穴６を例えば１０ｍｍの第２の所定間隔Ｔ２にて連続して複数、ここでは９組形成されている調整部７とにて構成される。尚、係止穴３は後述する係止箇所より表示部２側に形成される。また、調整部７には挿入穴５および調整係止穴６を９組形成する例を示したがこれに限られることはなく、複数組であればよい。また、第２の所定間隔Ｔ２は被装着物における調整するために必要な間隔を適宜設定すればよい。
【００１１】
そして、挿入部４は、挿入穴５の縦方向Ａの長さｔ１より縦方向Ａの長さｔ２が短く例えば６ｍｍの凸形状にて形成され、先端面が曲面形状にて構成されている先端箇所８と、先端箇所８の後方に縦方向Ａの長さｔ３が挿入穴の縦方向Ａの長さｔ１より長く例えば１８ｍｍにて構成された係止箇所９と、係止箇所９の後方に挿入穴５の縦方向Ａの長さｔ１より縦方向の長さｔ４が短い例えば７ｍｍにて成る連結箇所１０とにて構成されている。そして、係止箇所９と連結箇所１０との境界１１から係止穴３までの横方向Ｂの長さＴ３は第１の所定間隔Ｔ１と略同一長さ例えば９ｍｍにて形成される。よって、挿入部４を挿入穴５に挿入して係止箇所８を挿入穴５に係止させると、係止穴３と調整係止穴６とは連通して重なり合う位置関係にて構成される。尚、係止箇所９の縦方向Ａの長さｔ３は挿入穴５の縦方向Ａの長さｔ１より長ければ、係止箇所９が係止穴５に対して係止可能であるが、リストバンド１が可撓性にて成るため、最適には係止箇所の縦方向Ａの長さｔ３は挿入穴５の縦方向Ａの長さｔ１の１．３倍ないし２．５倍程度が好ましい。理由としては、短すぎると、調整部７を強くひっぱったりすると、挿入穴５から係止箇所９が抜け出てしまい、また、長すぎると、係止箇所９が挿入部４の挿入穴５の挿入が行いにくくなったり、リストバンド１の装着後にじゃまになる。
【００１２】
また、リストバンド１を装着する際に、係止穴３と調整係止穴６とを貫通させて狭持して留める例えばポリプロピレン（ＰＰ）にて構成される留め具１２は、凹部１３を有する雌部１４と、重なり合う位置関係にある係止穴３と調整係止穴６とに貫通可能で、かつ、凹部１３に挿入可能な大きさにて成る凸部１５を有する雄部１６と、雌部１４と雄部１６とを連結する連結部１７とにて構成される。この留め具１２は図３（ｃ）に示すように、雄部１６の凸部１５を雌部１４の凹部１３に挿入して固定する。また、雄部１６の凸部１５および雌部１４の凹部１３の構成は、雄部１６の凸部１５を雌部１４の凹部１３に挿入すると抜け出さないように構成されている。
【００１３】
次に、上記のように構成された実施の形態１のリストバンドの装着方法について説明する。まず、リストバンド１は図４に示すように原反１００を位置決め穴１０１に対して型抜き（トムソン）されている。そして、原反１００からリストバンド１を抜き取る。この抜き取りの前に、プリンタなどを用いて表示部２に所望の事項を印字することも可能である。次に、例えば人間の手首の被装着物１０２に対してリストバンド１を装着する場合、リストバンド１を被装着物１０２に巻き付け、被装着物１０２の大きさに合わせて、挿入部４の先端箇所８を所望の挿入穴５にリストバンド１の裏面側から挿入する。そして、挿入部４の先端箇所８および係止箇所９を挿入穴５からリストバンド１の表面側に引っ張り出すと図５に示すように、係止箇所９が挿入穴５に係止されて保持される状態となる。
【００１４】
そして、この状態のように挿入されると、所望の挿入穴５と対をなす調整係止穴６と係止穴３とが連通して重なり合う位置関係と成る。これは、第１の所定間隔Ｔ１と、係止箇所９と連結箇所１０との境界１１から係止穴３までの横方向Ｂの長さＴ３とが略同一長さにて形成されているためである。そしてこのように保持された状態にて、留め具１２の雌部１４をリストバンド１の係止穴３と調整係止穴６とが重なり合う裏面側に、雄部１６を表面側に配設して、雄部１６の凸部１５を係止穴６と調整係止穴６とを貫通させて雌部１４の凹部１３に挿入して雌部１４と雄部１６とにてリストバンド１を狭持して、図３（ｃ）に示すように固定する。すると、図６に示すように被装着物１０２にリストバンド１が装着される。またこの際、調整部７の後方側が係止穴３にて固定した箇所より後方側に長く残る場合、その部分を鋏にて切断して、リストバンド１の装着後にじゃまにならないようにして使用することも可能である。尚、切断により装着おける不具合が生じることはない。
【００１５】
また、上記に示したリストバンドの装着方法は、挿入部４をリストバンド１の裏面側から挿入穴５に挿入する例を示したが、リストバンド１の他の装着方法としては、挿入部４をリストバンド１の表面側から挿入穴５に図７に示すように挿入する。そして、以下この他の装着方法は上記に示したリストバンドの装着方法と同様に行い同様に被装着物に装着することができる。先の装着方法にて行うと、挿入部４をリストバンド１の裏面側から挿入する必要があるものの、挿入部４の先端箇所８および係止箇所９がリストバンド１の表面側に露出するため、被装着物１０２にその部分が当接することが無く違和感が少ない。また、後の装着方法にて行うと、挿入部４の先端箇所８および係止箇所９がリストバンド１の裏面側に配設されるもの、挿入部４をリストバンド１の表面側から挿入を行うため挿入が行いやすい。
【００１６】
上記のように構成された実施の形態１のリストバンドは、被装着物に装着する際に、挿入部を挿入穴に挿入し、挿入部の係止箇所をこの挿入穴に係止して保持した状態にて、係止穴と調整係止穴とを留め具にて固定することができるため、被装着物へのリストバンドの装着を容易に行うことができる。
【００１７】
尚、上記実施の形態１においては、挿入部の係止穴を連結箇所より表示部側に形成する例を示したが、これに限られることはなく、例えば図８に示すように、挿入部４の係止穴２３を連結箇所１０より表示部２側に形成する場合も考えられる。この場合、表示部２の他端に延在して第１の所定間隔Ｔ１１が上記実施の形態１の場合より短く形成される。また、挿入穴２５および調整係止穴２６を上記実施の形態１と同様の長さの第２の所定間隔Ｔ２１にて調整部７に連続して複数形成される。そして、係止箇所９と連結箇所１０との境界１１から係止穴２３までの横方向Ｂの長さＴ３１は第１の所定間隔Ｔ１１と略同一長さにて形成される。よって、挿入部４を挿入穴２５に挿入して係止箇所９を挿入穴２５に係止させると、係止穴２３と調整係止穴２６とは連通して重なり合う位置関係にて構成される。他の部分においては上記実施の形態１と同様であるため説明を適宜省略する。
【００１８】
そして、上記実施の形態１と同様にリストバンド１を装着する場合、挿入部４の先端箇所８を所望の挿入穴２５に、リストバンド１の裏面側から挿入する。そして、挿入部４の先端箇所８および係止箇所９を挿入穴２５からリストバンド１の表面側に引っ張り出すと図９に示すように、係止箇所９が挿入穴２５に係止されて保持される。そして、この状態に挿入されると、所望の挿入穴２５と対をなす調整係止穴２６と係止穴２３とが連通して重なり合う位置関係と成る。
【００１９】
また、上記実施の形態１と同様に他の装着方法によれば、挿入部４の先端箇所８を所望の挿入穴２５に、リストバンド１の表面側から挿入する。そして、挿入部４の先端箇所８および係止箇所９を挿入穴２５からリストバンド１の表面側に引っ張り出すと図１０に示すように、係止箇所９が挿入穴２５に係止されて保持される。そして、この状態に挿入されると、所望の挿入穴２５と対をなす調整係止穴２６と係止穴２３とが連通して重なり合う位置関係と成る。以下は上記実施の形態１と同様にリストバンド１を被装着物に留め具１２を調整係止穴２６と係止穴２３とに貫通させて留めることにより固定することができる。
【００２０】
さらに、上記実施の形態１においては、挿入部の先端箇所を凸部にて形成する例を示したが、これに限られることはなく、例えば図１１に示すように、係止箇所９から先端に向けて縦方向において狭く成る矢印形状にて先端箇所８１を形成しても、先端箇所の挿入穴への挿入しやすさは異なるものの、他の部分は上記実施の形態１と同様の効果を奏することができる。
【００２１】
さらに、上記実施の形態１においては、連結箇所を横方向Ｂにおいて長さを有する形状にて形成する例を示したが、これに限られることはなく、例えば、連結箇所１１０を切り込みのみにより形成し、連結箇所１１０と境界１１１とを同一箇所にて形成しても、先端箇所の挿入穴への挿入しやすさは異なるものの、上記実施の形態１と同様の効果を奏することができる。
【００２２】
さらに、上記実施の形態１においては、調整部の挿入穴を横方向Ｂにおいて長さを有するものについて示したが、これに限られることはなく、例えば図１３に示すように、切り欠きのみにて形成される穴を挿入穴３５として形成しても、先端箇所の挿入穴への挿入しやすさは異なるものの、上記実施の形態１と同様の効果を奏することができる。
【００２３】
尚、上記実施の形態１においては、リストバンドを人間の手首に使用する例を示したがこれに限られることはなく、人間の足首、または、他の部分、または、他の動物、または、他の物品など様々な被装着物に利用することが可能であることは言うまでもない。その場合、調整部の長さを所望の長さにて適宜形成すればよい。また、表示部は印字が可能であるが印字を行わない場合、または、手書きにて印字する場合、または、ＩＣタグなどを装着することも考えられる。また、ここでは成人の人間に対して適当となる大きさの例にて示したが、例えば、乳幼児に使用する場合には、全体的に小さい大きさにて形成して、適宜使用することが可能となる。また、リストバンドの材質は、抗菌仕様、防汚仕様、撥水仕様など、リストバンドの仕様目的に応じて適宜処理することは可能である。
【図面の簡単な説明】
【００２４】
【図１】この発明の実施の形態１のリストバンドの構成を示す図である。
【図２】図１に示したリストバンドの一部を拡大して示した図である。
【図３】図１に示したリストバンドを装着する際に使用する留め具の構成を示した図である。
【図４】図１に示したリストバンドの製造段階の構成を示す図である。
【図５】図１に示したリストバンドを装着する際の構成の一部を拡大して示す図である。
【図６】図１に示したリストバンドを被装着物に装着した状態を示す図である。
【図７】図１に示したリストバンドを装着する他の方法による構成の一部を拡大して示す図である。
【図８】この発明の実施の形態１におけるリストバンドの係止穴の他の例を示した図である。
【図９】図８に示したリストバンドを装着する際の構成の一部を拡大して示す図である。
【図１０】図９に示したリストバンドを装着する他の方法による構成の一部を拡大して示す図である。
【図１１】この発明の実施の形態１におけるリストバンドの先端箇所の他の例を示した図である。
【図１２】この発明の実施の形態１におけるリストバンドの連結箇所の他の例を示した図である。
【図１３】この発明の実施の形態１におけるリストバンドの挿入穴の他の例を示した図である。
【符号の説明】
【００２５】
１  リストバンド、２  表示部、３，２３  係止穴、４  挿入部、
５，２５，３５  挿入穴、６，２６  調整係止穴、７  調整部、８，８１  先端箇所、
９  係止箇所、１０，１１０  連結箇所、１１，１１１  境界、１２  留め具、
１０２  被装着物。
【図１】
2007167190.tif 000003
【図２】
2007167190.tif 000004
【図３】
2007167190.tif 000005
【図４】
2007167190.tif 000006
【図５】
2007167190.tif 000007
【図６】
2007167190.tif 000008
【図７】
2007167190.tif 000009
【図８】
2007167190.tif 000010
【図９】
2007167190.tif 000011
【図１０】
2007167190.tif 000012
【図１１】
2007167190.tif 000013
【図１２】
2007167190.tif 000014
【図１３】
2007167190.tif 000015